(57)【要約】【課題】耐久性を高め装身具の安価な製造を可能にする。【解決手段】装身具本体Ａをマグネットの吸着力で環状に接続する。マグネットを芯材１として芯材１の外側にカバー材２を被せ、カバー材２を少なくとも表面に非腐食性を有する非鉄材料で芯材１の吸着面１１を開放する筒形に形成した。【選択図】　　　　　　　　図１
2004121532.tif 000002
【特許請求の範囲】
【請求項１】
装身具本体をマグネットの吸着力で環状に接続する装身具用接続部材において、マグネットを芯材として芯材の外側にカバー材を被せ、カバー材を少なくとも表面に非腐食性を有する非鉄材料で芯材の吸着面を開放する筒形に形成したことを特徴とする装身具用接続部材。
【請求項２】
請求項１の装身具用接続部材において、カバー材は芯材に対して着脱可能であることをことを特徴とする装身具用接続部材。
【請求項３】
請求項１または２の装身具用接続部材において、カバー材は補助装飾部材が取付けられていることをことを特徴とする装身具用接続部材。
【発明の詳細な説明】
【０００１】
【発明の属する技術分野】本発明は、ネックレス，ブレスレッド等の装身具に備えられて、装身の際に装身具本体を環状に接続する装身具用接続部材に係る技術分野に属する。
【０００２】
【従来の技術】最近、装身具用接続部材では、装身具本体の接続，接続解除の操作の容易性から、装身具本体を係止力で環状に接続するフックタイプに代わって、装身具本体をマグネットの吸着力で環状に接続するマグネットタイプが多用されるようになってきている。
【０００３】
従来、マグネットタイプからなる装身具用接続部材としては、例えば、以下に記載のものが知られている。
【特許文献１】実用新案登録第３０７７７１７号公報。
特許文献１では、図７に示すように、装身具本体Ａはボール形の連結部材（装飾部材）Ａａが連結用線材Ａｂで数珠繋ぎに連結され、装身具用接続部材Ｂは装身具本体Ａの連結用線材Ａｂの両端末に取付けられてなる。装身具用接続部材２は、円柱形のマグネットからなるもので、互いに逆の極性とした円柱形の端面が吸着面となるように設定されている。
【０００４】
【発明が解決しようとする課題】特許文献１に係る装身具用接続部材Ｂでは、マグネットが酸化しやすい鉄材からなることから、マグネットの表面にステンレスメッキ等の防食の表面処理が施されたりするものの、装身者の汗，体温に継続的にさらされる環境下で短期間で腐食してしまうため、耐久性が低いという問題点がある。
【０００５】
なお、金属表面を長期間にわたり防食する技術が各種提案されているが、防食加工のコストががかなり高いため、製造される装身具の価格が高額になってしまうという新たな問題点が生じてしまう。
【０００６】
本発明は、このような問題点を考慮してなされたもので、耐久性を高め装身具の安価な製造を可能にする装身具用接続部材を提供することを課題とする。
【０００７】
【課題を解決するための手段】前述の課題を解決するため、本発明に係る装身具用接続部材は、次のような手段を採用する。
【０００８】
即ち、請求項１では、装身具本体をマグネットの吸着力で環状に接続する装身具用接続部材において、マグネットを芯材として芯材の外側にカバー材を被せ、カバー材を少なくとも表面に非腐食性を有する非鉄材料で芯材の吸着面を開放する筒形に形成したことを特徴とする。
【０００９】
この手段では、装身者の汗，体温に継続的にさらされるマグネットからなる芯材の表面をカバー材で覆うことで腐食を防止する。また、筒形のカバー材を芯材に被せる機械的な組立加工で防食処理が施される。
【００１０】
また、請求項２では、請求項１の装身具用接続部材において、カバー材は芯材に対して着脱可能であることをことを特徴とする。
【００１１】
この手段では、カバー材が取外，交換可能になる。
【００１２】
また、請求項３では、請求項１または２の装身具用接続部材において、カバー材は補助装飾部材が取付けられていることをことを特徴とする。
【００１３】
この手段では、カバー材自体が装飾的機能を備える。
【００１４】
【発明の実施の形態】以下、本発明に係る装身具用接続部材の実施の形態を図１〜図６に基づいて説明する。
【００１５】
図１〜図３は、本発明に係る装身具用接続部材の実施の形態（１）を示すものである。
【００１６】
この実施の形態では、前述の特許文献１に係る装身具本体Ａ，装身具用接続部材Ｂの基本構造をそのまま利用したものを示してある。
【００１７】
この実施の形態の装身具用接続部材は、マグネットからなる芯材１にカバー材２が被せられてなる。
【００１８】
芯材１は、マグネットで円柱形に形成されてなるもので、円柱形の一方の端面が互いに極性（Ｎ，Ｓ）を異ならせた吸着面１１とされている。吸着面１１から他方の端面１２には、図１に示すように、装身具本体Ａの連結用線材Ａｂの端末を固定する相対的に大径の止孔１３と装身具本体Ａの連結用線材Ａｂの端末付近が挿通される相対的に小径の挿通孔１４とが貫通されている。
【００１９】
カバー材２は、真鍮等の非鉄金属材の表面にステンレスメッキ等の防食処理を施してなるもので、芯材１の周面と他方の端面１２とを被う周壁２１，端壁２２からなる筒形に形成されている。端壁２２の中心には、装身具本体Ａの連結用線材Ａｂが通過する通孔２３が開孔されている。
【００２０】
この実施の形態によると、装身者の皮膚に接触，近接する芯材１の周面，端面１２が防食処理された非鉄金属材のカバー材２で被われているため、装身者の汗，体温に継続的にさらされても芯材１（カバー材２は勿論のこと）が腐食することはない。従って、耐久性が高くなって長期の使用が可能になる。
【００２１】
なお、芯材１の吸着面１１は、カバー材２に被われずに露出している。従って、芯材１のマグネットの吸着力による装身具本体Ａの環状の接続に支障が生ずることはない（図３参照）。
【００２２】
また、芯材１に対しては、図２に示すように、カバー材２を軸方向にスライドさせて嵌合させる組立工作を実行することができる。従って、筒形のカバー材２を芯材１に被せる機械的な組立加工で防食処理が施されるため、防食加工のコストがが低く製造される装身具の価格が高額になるのを避けることができる。
【００２３】
図４，図５は、本発明に係る装身具用接続部材の実施の形態（２）を示すものである。
【００２４】
この実施の形態では、前述の実施の形態（１）のカバー材２を弾性のある合成樹脂材で形成してある。そして、カバー材２には、周壁２１の軸方向と端壁２２の径方向とに１本の連続した切割２４を設けてある。なお、カバー材２の通孔２３は、大径に形成されている（端壁２２が小さくなっている）。
【００２５】
この実施の形態によると、前述の実施の形態（１）とほぼ同様の作用，効果が奏される。
【００２６】
さらに、図５に示すように、カバー材１を切割２４に沿って拡開させることで、装身具本体Ａの連結用線材Ａｂで連結部材Ａａが数珠繋ぎされた状態であっても、カバー材２を芯材１の径方向から着脱することができる。従って、使用中にカバー材２を汚損した場合に、芯材１から簡単に取外して洗浄することができる。また、使用の目的等に対応して、色，模様等の異なるカバー材２を簡単に交換することができる。
【００２７】
なお、大きく開孔された通孔２３は、図４に示すように、侵入した装身具本体Ａの連結部材Ａａで塞がれることになる。従って、芯材１の防食機能が低下することはない。
【００２８】
図６は、本発明に係る装身具用接続部材の実施の形態（３）を示すものである。
【００２９】
この実施の形態では、前述の実施の形態（１），（２）のカバー材２の周壁２１に装飾性のある補助装飾部材３を取付けてある。
【００３０】
この実施の形態によると、前述の実施の形態（１），（２）とほぼ同様の作用，効果が奏される。
【００３１】
さらに、補助装飾部材３を積極的に胸元等の視認される位置に装身することで、装身具本体Ａの連結部材Ａａを補完して装飾性を高めることができる。なお、前述の実施の形態（２）について実施した場合、カバー材２とともに補助装飾部材３を適宜交換することが可能になる。
【００３２】
なお、補助装飾部材３が筒形のカバー材２の周壁２１に取付けられるため、簡単な工作での取付けが可能で、製造される装身具の価格が高額になるのを避けることができる。
【００３３】
以上、図示した実施の形態の外に、カバー材２の全体を防食性のある非鉄金属材で形成することも可能である。
【００３４】
【発明の効果】以上のように、本発明に係る装身具用接続部材は、装身者の汗，体温に継続的にさらされるマグネットからなる芯材の表面をカバー材で覆うことで腐食を防止するため、耐久性が高くなる効果がある。
【００３５】
また、筒形のカバー材を芯材に被せる機械的な組立加工で防食処理が施されるため、防食加工のコストが低くなって、製造される装身具の価格が高額になるのをさけることができる効果がある。
【００３６】
さらに、請求項２として、カバー材が取外，交換可能になるため、使用中にカバー材を汚損した場合に芯材から簡単に取外して洗浄することができるとともに、使用の目的等に対応して色，模様等の異なるカバー材を簡単に交換することができる効果がある。
【００３７】
さらに、請求項３として、カバー材自体が装飾的機能を備えるため、装飾性を高めることができる効果がある。
【図面の簡単な説明】
【図１】本発明に係る装身具用接続部材の実施の形態（１）を示す断面図である。
【図２】図１の製造例を示す斜視図である。
【図３】図１の接続使用状態図である。
【図４】本発明に係る装身具用接続部材の実施の形態（２）を示す断面図である。
【図５】図４の製造，使用例を示す斜視図である。
【図６】本発明に係る装身具用接続部材の実施の形態（３）を示す正面図である。
【図７】従来例を示す正面図である。
【符号の説明】
１　　　　　　　　芯材
１１　　　　　吸着面
２　　　　　　　　カバー材
３　　　　　　補助装飾部材
Ａ　　　　　　装身具本体
Ｂ　　　　　　装身具用接続部材
【図１】
2004121532.tif 000003
【図２】
2004121532.tif 000004
【図３】
2004121532.tif 000005
【図４】
2004121532.tif 000006
【図５】
2004121532.tif 000007
【図６】
2004121532.tif 000008
【図７】
2004121532.tif 000009